(57)【要約】【課題】、繰り返し何回もゴミを吸着し、水洗するとゴミを容易に着脱できる清掃具を提供する。【解決手段】▲１▼支持体３と、▲２▼ゴミ吸着力を有するミクロ吸盤５であって、水洗するとゴミを容易に着脱し、脱水するとゴミ吸着力が再び回復するミクロ吸盤５と、▲３▼ミクロ吸盤を保護する剥離物４と、を▲１▼／▲２▼／▲３▼の順に具備したミクロ吸盤ラベル７であって、既存の清掃具１１に挿入される回転式除塵粘着ロール２の外周粘着剤面８に支持体３を貼り付けることで、繰り返し何回でも使える清掃具、ゴミ着脱式ミクロ吸盤ロール１であり、清掃具１１の取っ手の冶具１０に挿入して使用する。【選択図】図１
2010046450.tif 000002
【特許請求の範囲】
【請求項１】
支持体と、少なくとも可塑剤を含むミクロ吸盤と、剥離物とをこの順に具備したミクロ吸盤ラベルを、剥離物を剥がして清掃具、回転式除麈粘着ロールの外周粘着剤面に複数回巻きしたゴミ着脱式ミクロ吸盤ロールであって、ミクロ吸盤にゴミを吸着させた後、水洗してゴミを着脱させ、ミクロ吸盤に内包された水分を脱水して吸着力を再生できるゴミ着脱式ミクロ吸盤ロール。
【請求項２】
耐水性のある支持体と、少なくとも可塑剤を含むミクロ吸盤と、をこの順に具備したミクロ吸盤テープを、芯管の外周に複数回巻きした請求項１記載のゴミ着脱式ミクロ吸盤ロール。
【請求項３】
支持体は可塑剤を含む塩ビフイルムからなる請求項１記載、請求項２記載のゴミ着脱式ミクロ吸盤ロール。
【請求項４】
ミクロ吸盤の発泡倍率は１．３倍以上、５．０倍以下からなる請求項１、請求項２、請求項３記載のゴミ着脱式ミクロ吸盤ロール。
【発明の詳細な説明】
【技術分野】
【０００１】家庭で良く使う、使い捨て清掃具、回転式除塵粘着ロールの粘着剤をミクロ吸盤に変換させることで、使い捨て清掃具、回転式除塵粘着ロールを何回も使えるゴミ着脱式ミクロ吸盤ロールに変換させる。
【背景技術】
【０００２】粘着テープを回転させながらホコリ、ゴミを粘着剤で除去する清掃具、回転式除塵粘着ロールは既に家庭で多く使われている。その種類もカーペット用、畳み用、フローリング用、壁用、ペット用、洋服用と多く、粘着力強度を変えてそれぞれのニーズに対応した回転式除塵粘着ロールが清掃具として市場に氾濫している。しかしながら、粘着テープを回転させながらホコリ、ゴミを除去する回転式除塵粘着ロールの欠点はホコリ、ゴミが粘着ロールに全面に付着すると粘着力が殺されて再生がきかない点にある。その結果、その外周部分一巻きを破って捨て、新しく顔だした粘着剤面を使う、いわゆる使い捨て回転式除塵粘着ロールとなっている。これは粘着ロールに一度付着したゴミ、ホコリの着脱が困難なことから使い捨てになっている。これを解決すべく、一度粘着ロールに付着したホコリ、ゴミを着脱して再利用する方法について、多くの特許文献が出ている。その実例として、表面が粘着性を帯びた粘着性ゴムロールが工業用に使われている。【０００３】粘着性ゴムロールは例えば薄鋼板メッキライン工場、ブリキ印刷・塗装工場、アルミシート加工工場、ステンレス鋼板スキンパスライン工場、グラビヤ印刷工場、加工紙スリッター・カッター工場のラインにゴミ取りロール用に組み込まれてゴミの着脱に使われている。粘着性ゴムロールはゴムの硬度は非常に柔らかく設計されていて、ロール表面を溶剤で洗浄することで粘着力を回復させ、繰り返し使える粘着性ゴムロールである。溶剤で洗浄するのではなく水洗することで粘着ロールに付着したゴミを着脱できる清掃具は以前から切望されていた。本発明は水洗してゴミを着脱できて、何回も使える清掃具、ゴミ着脱式ミクロ吸盤ロールに関する。【０００４】
【特許文献１】特開２００６−２７６２８０
【特許文献２】特開平１０−２１１６６６
【特許文献３】特開２００４−１１３３６２
【特許文献４】特開２００１−３３３８７７
【特許文献５】特開２００５−０２７９４５
【特許文献６】特開２００６−０７５５０２
【特許文献７】特開２００７−５０７３４６
【特許文献８】特表２００８−５０４８８７
【特許文献９】特開２００５−２５５８５９
【特許文献１０】特開２００６−３４６２９３
【特許文献１１】特開昭６１−１００２２４
【発明の開示】
【発明が解決しようとする課題】
【０００５】粘着ロールを回転させながらホコリ、ゴミを除去する回転式除塵粘着ロールは既に家庭で多く使われている。その欠点は粘着ロールにホコリ、ゴミが付着して粘着力が無くなると、その外周一巻きを破って捨てる、いわゆる使い捨て回転式除塵粘着ロールであって省資源エコ商品ではないことである。本発明はミクロ吸盤を粘着剤の代わりに使うことにより、ミクロ吸盤のもつゴミを吸着する機能、及び水洗するとホコリ、ゴミが容易に着脱される機能、ミクロ吸盤に内包された水分を脱水するとゴミ吸着力が回復する機能の３機能を有するミクロ吸盤を回転式ゴミ取りロールに応用するものである。従来の使い捨てから地球にやさしい清掃具を提供することが出来る。
【課題を解決するための手段】
【０００６】ミクロ吸盤と粘着剤との違いは特許文献６に開示されているが、アクリル酸エステル共重合体エマルジョン液に、整泡剤、増粘剤、起泡剤、硬化剤、顔料、可塑剤を一定の割合に混合して、機械的発泡機「オークスミキサー」を通して、加圧空気を送り込み、発泡倍率１．３倍〜５倍（発泡前の単位容積当たりの重量を発泡後の単位容積あたりの重量で除した数値）にした無数の微細気泡を含む泡沫状エマルジョン液をコンマコーターにて支持体上に塗布、乾燥して形成される５０〜１０００μ厚の発泡シートをいう。【０００７】特許文献１の如くミクロ吸盤にはアクリル酸エステル共重合体エマルジョン液に一定の可塑剤を添加することで、ミクロ吸盤に柔軟な低弾性と、表面に無数の微細凹状陥没穴を形成できる。その凹状陥没穴は内部の気泡に連続し、該内部の気泡は他の気泡と細径管にて連続した構造を有する吸着性発泡シートである。平均的には５〜３００ミクロンの凹状陥没穴が個数で９５％を占め、単位面積あたり１〜９万個／ｃｍ２が形成されている。この微細で柔軟な凹状陥没穴が陰圧吸着力を発揮し、ホコリ、ゴミを良く吸着する。吸着力とは凹状陥没穴が被着体表面に圧着されると、凹状陥没穴と被着体表面によって形成される密閉空間が減圧状態となることにより発生するゴミ吸着力である。減圧状態が解除されたり、水が凹状陥没穴に浸入したりするとゴミ吸着力は消失しゴミは着脱される特性を持つ。本発明はミクロ吸盤のもつゴミを吸着する機能、及び水洗するとホコリ、ゴミが容易に着脱される機能、ミクロ吸盤に内包された水分を脱水するとゴミ吸着力が回復する機能の３機能を有するミクロ吸盤を従来の使い捨て清掃具に応用することで地球にやさしい清掃具を提供することが出来る。【０００８】従来の清掃具、回転式除塵粘着ロールに代わって繰り返し何回も使えるゴミ着脱式ミクロ吸盤ロールを作る方法はミクロ吸盤テープを従来の回転式除塵粘着ロール２の外周に巻きつける方法である。回転式除塵粘着ロールの粘着面にミクロ吸盤テープの支持体を複数回巻きつけることによってゴミ着脱式ミクロ吸盤ロール１としての機能を発揮できる。またあらかじめ紙製芯管、あるいは樹脂製芯管に直接ミクロ吸盤テープを複数回巻きした、例えば５０回巻きしたゴミ着脱式ミクロ吸盤ロール（図２）を、清掃具１１の冶具１０に図３の如くカセット式に挿入して使う取替え用ゴミ着脱ミクロ吸盤ロール３であっても良い。【０００９】支持体３とは図１の如くミクロ吸盤が吸着される基材であって、ポリエステルフイルム、塩ビフイルム、紙類がある。ポリエステルフイルにあっては厚さ３０〜１００μ、ミクロ吸盤との吸着力の高い易接着性ポリエステルフイルム（東洋紡Ａ４３００）が良い。塩ビフイルムにあっては可塑剤が８部から３５部入った厚さ８０μから１５０μの軟質フイルム（バンドウー化学ＷＹ０２０１８）が良い。紙類にあっては厚さ８０μから１５０μのコート紙、あるいはクラフト紙、あるいは片面ポリラミされた上質紙、クラフト紙であっても良い。紙は一見、水に弱い印象があるが一旦巻き状に硬く巻かれたロールの耐水性は本発明には十分使える。【００１０】剥離物４とは、剥離処理されたシート状の総称であって、グラシン紙、ポリラミ紙はもちろん、樹脂フイルムに剥離処理されたものはこの範疇に入る。剥離物とは粘着ラベルの剥離紙に使われているシリコーン樹脂処理剥離紙、あるいは剥離フイルムが一般的である。しかし、剥離処理されてない厚さ２５ミクロンから８０μのポリエチレンフイルムであっても良い。ミクロ吸盤ラベルにあっては図１のごとく剥離物は剥がされてミクロ吸盤テープ６となるが、支持体面が従来の回転式除塵粘着ロールの外周粘着面に巻きつけてゴミ着脱式ミクロ吸盤ロール１となる。
ゴミ着脱式ミクロ吸盤ロールはゴミを吸着させた後、水道の蛇口の下で水洗いするとか、水の入ったバケツの中でゴミを洗い落とすとかした後、ミクロ吸盤内に内包された水分を脱水して、ゴミ吸着力を回復させることができる。脱水の方法は乾いた布で拭き取るとか、ティッシュペーパーにて拭き取ることで容易に目的は達せられる。支持体は水洗時にミクロ吸盤ロール自体、またはミクロ吸盤ロールの芯管自体、水でふやけたり破けたりしないものが良い。例えばミクロ吸盤テープの支持体は塩ビフイルムとかポリエステルフイルム等の耐水性に優れたものが良い。また芯管も紙製芯管より樹脂製芯管が良い。また水洗されるとミクロ吸盤自体が膨潤して、支持体からミクロ吸盤が脱落する危険性があるために、支持体とミクロ吸盤との吸着力（接着力）は高接着に設計されているのが良い。例えば支持体を塩ビフイルム、あるいは易接着処理をしたポリエステルフイルムにするとミクロ吸盤との吸着力（接着力）は高接着に設計されたことになる。【００１１】塩ビフイルムには８部から３５部程度の可塑剤を含んだものを支持体として使うと経時的には可塑剤がミクロ吸盤内に移行して、ミクロ吸盤を可塑化する。これによりミクロ吸盤はより柔軟で低弾性になり、凹凸面に対するゴミ吸着力が長期的に高まり、畳等の凹凸面に食い込んだゴミを吸着する効果が顕著になる。ミクロ吸盤の中に可塑剤を一定量含有させる効果は既に特許文献１に開示されている。本発明は、ミクロ吸盤のゴミ吸着力、水洗ゴミ着脱性を清掃具に応用するものであるが、可塑剤の効果により、柔軟で低弾性になったミクロ吸盤はゴミを多く吸着して離さないことが、可塑剤を含まないミクロ吸盤と比較して顕著であることが以下のテストから明らかになった。
テストは２００ｍｍ×２００ｍｍの畳の面積部分に砂を撤き、その上をミクロ吸盤に可塑剤を含まないゴミ着脱式ミクロ吸盤ロールと可塑剤を７部（対ミクロ吸盤重量）含むゴミ着脱式ミクロ吸盤ロール（本発明品）をコロコロと畳の上を転がして砂を除去した後、畳に残った砂の重さを計って、ゴミ吸着力の比較とした。
2010046450.tif 000003
【００１２】ミクロ吸盤の摩擦耐久性と発泡倍率とは関係が深く、ゴミ着脱式ミクロ吸盤ロールをコロコロと畳の上を回転させてゴミ吸着させるにあたり、発泡倍率が５倍以上になるとミクロ吸盤の表面の摩擦破壊が起こりやすく、例えば発泡倍率が５倍のミクロ吸盤ロールは５０回転で表面の摩擦破壊が起り、結果的に吸着力が極端に落ちてくるのである、一方発泡倍率が１．３以下になると表面の摩擦破壊は起こり難く１．３倍の場合ミクロ吸盤ロールは１００回転以上でも表面の摩擦破壊が起らないが、発泡倍率が低いため、弾性が無くなり凹凸面に食い込まず、ゴミ吸着力は極端に落ちてくる。この意味でゴミ着脱式ミクロ吸盤ロールの発泡倍率は１．３倍〜５倍が好ましい。発泡倍率とは機械的発泡機「オークスミキサー」を通して、加圧空気を送り込み、発泡前の単位容積当たりの重量を発泡後の単位容積あたりの重量で除した数値をいう。
【発明の効果】
【００１３】表面が平滑面のゴミはもちろん凹凸面のゴミをも吸着して、水洗すると容易にゴミを着脱でき、繰り返し何回も使えるゴミ着脱式ミクロ吸盤ロールは利便性に富み、地球にやさしい清掃具である。
【発明を実施するための最良の形態】
【実施例１】
【００１４】支持体３は厚さ１００μ塩ビフイルム（バンドー化学製品ＷＹ０２０１８）、ミクロ吸盤（発泡倍率２．０）は１００μ、剥離紙〔リンテック製品ＫＹＰ７０Ｅ〕１２０μからなるミクロ吸盤ラベル（アクト製品ＭＱ０３０）７を２００ｍｍ×１６０ｍｍに裁断した。次ぎに図１の如く回転式除塵粘着ロール２（ニトムス製品）の外周粘着剤面８に支持体３の塩ビフイルムを貼り合わせゴミ着脱式ミクロ吸盤ロールを完成した。次に図３の市販の清掃具の取っ手１０にゴミ着脱式ミクロ吸盤ロールの芯管を挿入して、畳の上をコロコロと回転させると、ミクロ吸盤５には多くのゴミ（糸くず、髪の毛、綿ホコリ）が吸着した。多くのゴミを吸着した時点で、水道の蛇口にて水道水にてミクロ吸盤に吸着したゴミを洗い流すと、容易にゴミは着脱された。ミクロ吸盤面の水を乾いた布で拭き取るとミクロ吸盤は再び吸着力を回復した。再度畳の上をコロコロと回転させながらゴミをミクロ吸盤に吸着させると、ゴミとして多くの糸屑、髪の毛、綿ホコリを再び吸着した。再度、水道の蛇口にて水道水にてミクロ吸盤に吸着したゴミを洗い流すと、容易にゴミは水洗除去された。ミクロ吸盤面の水を乾いた布で拭き取るとミクロ吸盤は再び吸着力を回復した。この繰り返しを３０回繰り返すとミクロ吸盤面は傷つきゴミ吸着力は半減した。この時点で繰り返しテストは中止した。
【実施例２】
【００１５】ミクロ吸盤ラベル７から剥離物を剥がしたミクロ吸盤テープ６を紙の芯管９に、３０回巻きつけて取替え用ゴミ着脱ミクロ吸盤ロールを作り、市販の清掃具（ニトムス製品）から回転式除塵粘着ロールを外し、代わって治具１０にゴミ着脱ミクロ吸盤ロールを挿入して、実施例１と同じく畳の上でコロコロと転がし、ミクロ吸盤の脱水による吸着力回復テストを繰り返した。ミクロ吸盤面の水を乾いた布で拭き取るとミクロ吸盤は再び吸着力を何回も回復した。この繰り返しを４０回繰り返すとミクロ吸盤の表面は傷つきゴミ吸着力は半減した。この時点で繰り返しテストは中止して、一巻き目のミクロ吸盤テープを剥がして、新しく顔を出したミクロ吸盤で畳テストを実施例１と同様な方法にてゴミ吸着テストを繰り返した。一方、同時に回転式除塵粘着ロールに付着したゴミの水洗着脱性も確かめたが、一旦粘着剤面８に付着したゴミの水洗着脱は困難であった。
【図面の簡単な説明】
【００１６】
【図１】回転式除塵粘着ロール２の外周粘着剤面８にミクロ吸盤ラベル７の支持体を一巻き貼りあわせた後、剥離物４を剥がして出来上がるゴミ着脱ミクロ吸盤ロール１の過程を示した鳥瞰図
【図２】芯管９にミクロ吸盤テープ３を複数回巻き付けたて出来上がっていくゴミ着脱式ミクロ吸盤ロール１の過程を示した鳥瞰図
【図３】ゴミ着脱式ミクロ吸盤ロールの芯管が挿入される冶具１０、及び清掃具１１の鳥瞰図
【符号の説明】
【００１７】１ゴミ着脱式ミクロ吸盤ロール
２回転式除塵粘着ロール
３支持体
４剥離物
５ミクロ吸盤
６ミクロ吸盤テープ
７ミクロ吸盤ラベル
８粘着剤面
９芯管
１０冶具
１１清掃具
【図１】
2010046450.tif 000004
【図２】
2010046450.tif 000005
【図３】
2010046450.tif 000006